(57)【要約】      （修正有）【課題】レンズのゲート部がホルダの突出部に配置された場合であっても、レンズが安定して保持され、また、レンズ固定用の接着剤の漏出を防止可能なピックアップ装置用のレンズ及び光ディスクドライブ用のピックアップ装置を提供する。【解決手段】レンズ１は、ディスク側の第１レンズ面と、光源側の第２レンズ面を有するレンズ本体と、レンズ本体の縁部から、該レンズ本体の半径方向外側にフランジ状に突出するフランジ部２０とを有し、フランジ部２０の外周円筒面に沿って該フランジ部２０が切削されることにより前記レンズのゲート部ｇが除去されており、フランジ部２０の切削深さＤは、前記レンズ１の半径をＲ、前記ゲート部ｇの幅をＷＧとすると、下式2011227940.tif 000006を満たす。【選択図】図１
2011227940.tif 000002
【特許請求の範囲】
【請求項１】
射出成形によって形成される略円盤形状のピックアップ装置用のレンズであって、
ディスク側の第１レンズ面と、光源側の第２レンズ面を有するレンズ本体と、
前記レンズ本体の縁部から、該レンズ本体の半径方向外側にフランジ状に突出するフランジ部と、を有し、
前記フランジ部の外周円筒面に沿って該フランジ部が切削されることにより前記レンズのゲート部が除去されており、
前記フランジ部の切削深さＤは、前記レンズの半径をＲ、前記ゲート部の幅をＷＧとすると、下式
2011227940.tif 000005
を満たす
ことを特徴とするピックアップ装置用のレンズ。
【請求項２】
請求項１に記載のピックアップ装置用のレンズと、前記レンズを保持するホルダとを備えた光ディスクドライブ用のピックアップ装置。
【請求項３】
前記ホルダは、前記レンズを収容する貫通穴が形成された板状の部材であり、前記貫通穴の内周面には、前記貫通穴の中心軸に向かうフランジ状の突出部が形成され、
前記レンズは、前記ホルダの前記突出部の上にレンズの前記レンズ取り付け面が当接した状態で前記ホルダに保持されることを特徴とする請求項２に記載の光ディスクドライブ用のピックアップ装置。
【請求項４】
前記貫通穴に形成された突出部に隣接するホルダの側方部分には、コ字状に形成された接着剤受けが形成されており、該接着剤受けに接着剤を注入することによって前記レンズが該ホルダに固定されるようになっていることを特徴とする請求項３に記載の光ディスクドライブ用のピックアップ装置。
【発明の詳細な説明】
【技術分野】
【０００１】
本発明は、ピックアップ装置用のレンズ及び、このレンズを用いた光ディスクドライブ用のピックアップ装置に関する。
【背景技術】
【０００２】
ＣＤ、ＤＶＤ等の光ディスクから情報を読み取る光ディスクドライブは、ピックアップ装置を有している。ピックアップ装置は、少なくとも一基のレーザ光源と、レーザ光源から出射するレーザ光を光ディスク上で集光させるレンズを有する。
【０００３】
ピックアップ装置に使用されるレンズは、一般的に射出成形によって成形される樹脂成形品である。そのため、成形されたレンズからゲート部を除去する必要がある。ゲート部の除去方法及びゲートが除去されたレンズの従来例としては、特許文献１に示されたものがある。従来構成のレンズの上面図及びＡ−Ａ断面図を、夫々図４（ａ）及び図４（ｂ）に示す。なお、以下の説明においては、レンズの光軸方向を上下方向と定め、レンズをピックアップ装置に取り付けた時に、ディスク側となる方向を上、レーザ光源側となる方向を下と定義する。
【０００４】
図４（ａ）及び図４（ｂ）に示される従来のレンズ２０１は、上側（ディスク側）の第１レンズ面２１１及び下側（光源側）の第２レンズ面２１２とを有するレンズ本体と、該レンズ本体の縁部からフランジ状に突出するフランジ部２２０と、を有する。フランジ部２２０の下面２２１の縁端部は、下面２２１の他の部分よりも上側（ディスク側）に向かって凹となるレンズ取り付け面２２１ａが形成されている。
【０００５】
また、レンズ２０１のゲート部ｇは、フランジ部２２０の外周円筒面２２２から、レンズ２０１の半径方向外側に向かって伸びている。ゲート部ｇは、その位置でエンドミルをレンズの半径方向（すなわち、ゲートからレンズの中心に向かう方向）及びレンズの光軸方向の双方に垂直な方向に移動させることにより、ゲートを除去している（Ｄ字カット）。
【０００６】
また、一般に、レンズはピックアップ装置のホルダに接着剤によって固定されるようになっている。一般的なピックアップ装置のホルダの上面図を図５（ａ）に、レンズがホルダに取り付けられた状態のホルダのＢ−Ｂ断面図を図５（ｂ）に、夫々示す。
【０００７】
図５（ａ）及び（ｂ）に示されるように、ホルダ１０１は、板状の部材であり、その上面１０２ａから下面１０２ｂに向かって、レンズ２０１を収容するための円形の貫通穴１１１が形成されている。貫通穴１１１の内周円筒面には、貫通穴１１１の中心軸ａｘを中心として１２０°おきに、中心軸ａｘに向かう方向にフランジ状に突出する突出部１２１が形成されている。また、各突出部１２１に隣接する上面１０２ａには、コの字状に形成された接着剤受け１３１が設けられ、該コの字状の接着剤受け１３１の開放部は各突出部１２１に向けられている。レンズ２０１をホルダ１０１に取り付ける際は、図５（ｂ）に示されるように、ホルダ１０１の突出部１２１の上にレンズ取り付け面２２１ａが当接するようになっている。
【０００８】
レンズ２０１のレンズ取り付け面２２１ａを、ホルダ１０１の突出部１２１の上に配置した状態では、レンズ２０１のフランジ部２２０の外周円筒面２２２の一部が、ホルダ１０１の接着剤受け１３１と対峙し、外周円筒面２２２とコの字状の接着剤受け１３１の内周面１３１ａとの間で接着剤用凹部ｓａが形成される。この接着剤用凹部ｓａに、接着剤ａｄを注入して固化させることによって、レンズ２０１はホルダ１０１に固定される。
【先行技術文献】
【特許文献】
【０００９】
【特許文献１】特開２００９−１８１０３３号公報
【発明の概要】
【発明が解決しようとする課題】
【００１０】
上記のように、レンズ２０１は、レンズ取り付け面２２１ａがホルダ１０１の突出部１２１に載ることによってホルダ１０１に保持されるようになっている。しかしながら、図４（ａ）及び図４（ｂ）に示されるように、Ｄ字カットによってゲート部を切除すると、ゲート部のみならずその周囲のレンズ取り付け面２２１ａもまた、大きく削られてしまう畏れがある。レンズ取り付け面２２１ａの幅ＷＬ（図５（ｂ））及び突出部１２１の幅ＷＰ（図５（ａ））は、レンズ２０１の小型化のために微小（第１及び第２レンズ面の半径の数分の１程度）であるため、誤ってレンズ２０１のゲート部がホルダ１０１の突出部１２１に位置するようにレンズ２０１がホルダ１０１に配置されてしまうと、ホルダ１０１の突出部１２１によるレンズ２０１の保持が不安定なものとなる可能性がある。また、レンズ２０１のフランジ部２２０の外周円筒面２２２のゲート部付近が大きく削られているため、ゲート部が突出部１２１付近に配置されてしまうと、突出部１２１とフランジ部２２０との間に隙間が生じ、接着剤ａｄがこの隙間から漏出してしまう可能性がある。
【００１１】
本発明は上記の問題を解決するためになされたものである。すなわち、本発明は、レンズのゲート部がホルダの突出部に配置された場合であっても、レンズが安定して保持され、また、レンズ固定用の接着剤の漏出を防止可能なピックアップ装置用のレンズ及び光ディスクドライブ用のピックアップ装置を提供することを目的とする。
【課題を解決するための手段】
【００１２】
上記の目的を達成するため、本発明のピックアップ装置用のレンズは、ディスク側の第１レンズ面と、光源側の第２レンズ面を有するレンズ本体と、レンズ本体の縁部から、該レンズ本体の半径方向外側にフランジ状に突出するフランジ部とを有し、フランジ部の外周円筒面に沿って該フランジ部が切削されることにより前記レンズのゲート部が除去されており、フランジ部の切削深さＤは、前記レンズの半径をＲ、前記ゲート部の幅をＷＧとすると、下式
2011227940.tif 000003
を満たすようになっている。
【００１３】
上記の構成により、本発明のピックアップ装置用のレンズは、フランジ部の切削深さを極めて小さく抑えつつゲート部を完全に除去することができる。すなわち、レンズにおいてゲート部が設けられていた箇所が、ピックアップ装置のホルダの突出部に一致するように、レンズがホルダに取り付けられたとしても、突出部の上に確実にレンズのフランジ部を乗せることができる。従って、レンズはホルダの突出部上で安定して保持される。また、レンズにおいてゲート部が設けられていた箇所がホルダの突出部付近に配置されたとしても、突出部とフランジ部との間に隙間が生じることはなく、レンズをホルダに固定するための接着剤がこの隙間から漏出することはない。
【００１４】
また、本発明の構成によれば、ゲート部の除去時のレンズの削り量は小さいものとなるため、ゲート部の除去に伴うレンズの重心の変化量は小さいものとなる。このため、レンズの不つりあいによって発生し得る、ピックアップ装置の動作時の振動が防止される。
【００１５】
また、本発明の光ディスク用のピックアップ装置は、上記のレンズと、このレンズを保持するホルダとを備えたものである。
【００１６】
例えば、ホルダは、レンズを収納する貫通穴が形成された板状の部材であり、貫通穴の内周面には、貫通穴の中心軸に向かうフランジ状の突出部が形成され、レンズは、ホルダの突出部の上にレンズのレンズ取り付け面が当接した状態でホルダに保持されるようになっている。
【００１７】
また、貫通穴に形成された突出部に隣接するホルダの側方部分には、コ字状に形成された接着剤受けが形成されており、該接着剤受けに接着剤を注入することによってレンズが該ホルダに固定されるようになっている。
【発明の効果】
【００１８】
以上のように、本発明によれば、レンズのゲート部がホルダの突出部に配置された場合であっても、レンズが安定して保持され、また、レンズ固定用の接着剤の漏出を防止可能なピックアップ装置用のレンズ及び光ディスクドライブ用のピックアップ装置が実現される。
【図面の簡単な説明】
【００１９】
【図１】図１は、本発明の実施の形態に係るレンズの上面図である。
【図２】図２は、図１の実施形態のレンズをゲート側から見た側面図である。
【図３】図３は、ランナーから切り離す前のレンズの斜視図である。
【図４】図４（ａ）は、従来構成のレンズの上面図であり、図４（ｂ）は、図４（ａ）のＡ−Ａ断面図である。
【図５】図５（ａ）は、従来構成のレンズが取り付けられる光ディスクドライブ用ピックアップ装置のホルダの上面図であり、図５（ｂ）は、レンズが前記ホルダに取り付けられた状態の図５（ａ）のＢ−Ｂ断面図である。
【発明を実施するための形態】
【００２０】
以下、本発明の実施の形態について図面を用いて詳細に説明する。図１は、本発明の実施の形態のレンズの上面図である。また、図２は、本実施形態のレンズをゲート側から見た側面図である。また、図３は、ランナーから切り離す前のレンズの斜視図である。
【００２１】
図３に示されるように、本実施形態においては、複数（図３においては８つ）のレンズ１が、夫々ゲート部ｇを介してランナーｒと一体となった状態で成形されている。そして、ゲート部ｇを交差するように定められた切断面ｃｓにてゲート部ｇを切断することによって、レンズ１の夫々はランナーｒから切断される。従って、ランナーｒからレンズ１を切り取った状態では、ゲート部ｇが一部、レンズ１に残されている（図１及び２の二点鎖線部）。
【００２２】
図２に示されるように、本実施形態のレンズ１は、一方（図２中上側）に第１レンズ面１１が、他方（図２中下側）に第２レンズ面１２が、夫々形成されたレンズ本体１０と、レンズ本体１０の縁部から、レンズ本体１０の光軸ａｘＬに直行する面方向にフランジ状に突出するフランジ部２０を有する。なお、レンズ１がピックアップ装置に取り付けられた状態では、第１レンズ面１１がディスク側となり、第２レンズ面１２が光源側となる。
【００２３】
図５（ａ）に示される従来のピックアップ装置のホルダ１０１にレンズ１を取り付ける際は、レンズ１のフランジ部２０の、第２レンズ面１２側の面２１の外縁部に形成されたレンズ取り付け面２１ａが、ホルダ１０１に設けられた突出部１２１に乗せられる。
【００２４】
図１及び２に示されるように、ゲート部ｇは、フランジ部２０の外周円筒面２２からフランジ部２０の半径方向側に向かって伸びている。
【００２５】
ゲート部ｇは、レンズ１のピックアップ装置のホルダ１０１への取り付け不良の原因となり得るものであるため、除去する必要がある。本実施形態においては、ゲート部ｇは、エンドミル加工によって、レンズ１から除去される。
【００２６】
本実施形態においては、図１及び２に示されるように、ゲート部ｇが設けられている部分の周辺の外周円筒面２２に、エンドミルの軸方向が光軸方向となるようにエンドミルを保持し、次いで回転するエンドミルを、レンズ１のフランジ部２０の外周円筒面２２に沿って円弧状に移動させることによって、ゲート部ｇを除去している。また、切削されたフランジ部２０の深さ（すなわち、切削前の外周円筒面２２ａと、切削後の外周円筒面２２ｂの間隔。以下、単に切削深さという）Ｄは、レンズ１の半径（すなわち、切削されていない外周円筒面２２から光軸ａｘＬまでの距離）Ｒと、ゲート部ｇの幅ＷＧに対して、下記の数１を満たす範囲に設定される。
【００２７】
【数１】
2011227940.tif 000004
【００２８】
上記の数１を満たすようにフランジ部２０を切削する構成においては、フランジ部２０の切削深さＤを極めて小さく抑えつつ（すなわち、レンズ取り付け面２１ａの幅を殆ど減ずること無く）、ゲート部ｇを完全に除去することができる。すなわち、レンズ１においてゲート部ｇが設けられていた箇所がホルダ１０１の突出部１２１に一致するように、レンズ１がホルダ１０１に取り付けられたとしても、突出部１２１の上に確実にレンズ取り付け面２１ａを乗せることができる。従って、レンズ１は、突出部１２１上で安定して保持される。また、レンズ１においてゲート部ｇが設けられていた箇所が突出部１２１付近に配置されたとしても、突出部１２１とフランジ部２０との間に隙間が生じることはなく、レンズ１をホルダ１０１に固定するための接着剤ａｄがこの隙間から漏出することはない。
【００２９】
また、ゲート部ｇの除去時の削り量は小さいものとなるため、ゲート部ｇの除去に伴うレンズ１の重心の変化量は小さいものとなる。このため、レンズの不つりあいによって発生し得る、ピックアップ装置の動作時の振動が防止される。
【符号の説明】
【００３０】
１    レンズ
２０    フランジ部
２１ａ  レンズ取り付け面
２２    外周円筒面
１０１    ホルダ
ｇ    ゲート部
【図１】
2011227940.tif 000007
【図２】
2011227940.tif 000008
【図３】
2011227940.tif 000009
【図４】
2011227940.tif 000010
【図５】
2011227940.tif 000011